(57)【特許請求の範囲】
【請求項１】
堰を形成するウォーターフェンス本体部と、
前記ウォーターフェンス本体部の底面と設置面との間の水を吸い取る吸水装置と、
設置面から所定の高さに設けられた水検知部と、
前記水検知部の検知結果に基づいて、前記吸水装置の駆動を制御する制御部とを備える、ウォーターフェンスシステム。
【請求項２】
前記水検知部は、無線通信部を含み、水検知情報を前記無線通信部を介して前記制御部に送信するように構成されている、請求項１に記載のウォーターフェンスシステム。
【請求項３】
情報を送受信可能な情報通信端末をさらに備え、
前記制御部は、前記水検知部の検知結果に基づいて、浸水情報を前記情報通信端末に送信するように構成されている、請求項１または２に記載のウォーターフェンスシステム。
【請求項４】
前記水検知部は、少なくとも前記ウォーターフェンス本体部の前面側に設けられている、請求項１〜３のいずれか１項に記載のウォーターフェンスシステム。
【請求項５】
前記ウォーターフェンス本体部の設置位置周辺を撮影可能な撮影装置をさらに備え、
前記制御部は、前記撮影装置により撮影した映像を取得可能に構成されている、請求項１〜４のいずれか１項に記載のウォーターフェンスシステム。
【請求項６】
前記制御部は、前記吸水装置に内蔵されている、請求項１〜５のいずれか１項に記載のウォーターフェンスシステム。
【請求項７】
前記ウォーターフェンス本体部の底面に配置され、前記ウォーターフェンス本体部の設置面への設置性を向上させる設置力増強部材をさらに備える、請求項１〜６のいずれか１項に記載のウォーターフェンスシステム。
【請求項８】
堰を形成するウォーターフェンス本体部と、
前記ウォーターフェンス本体部の底面と設置面との間の水を吸い取る吸水装置と、
設置面から所定の高さに設けられた水検知部とを備え、
前記水検知部の検知結果に基づいて、前記吸水装置の駆動が制御されるように構成されている、ウォーターフェンス。
【発明の詳細な説明】
【技術分野】
【０００１】
この発明は、ウォーターフェンスシステムおよびウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、水をある程度止めることができるものの、浸水しようとする水を排出することはできないという不都合がある。このため、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスシステムおよびウォーターフェンスを提供することである。
【課題を解決するための手段】
【０００７】
この発明の第１の局面によるウォーターフェンスシステムは、堰を形成するウォーターフェンス本体部と、ウォーターフェンス本体部の底面と設置面との間の水を吸い取る吸水装置と、設置面から所定の高さに設けられた水検知部と、水検知部の検知結果に基づいて、吸水装置の駆動を制御する制御部とを備える。
【０００８】
この発明の第１の局面によるウォーターフェンスシステムでは、上記のように、水検知部の検知結果に基づいて、ウォーターフェンス本体部の底面と設置面との間の水を吸い取る吸水装置の駆動を制御する制御部を設ける。これにより、ウォーターフェンス本体部に水が押し寄せてきた場合に、ウォーターフェンス本体部により押し寄せる水を止めるとともに、水検知部の検知結果に基づいて自動的に吸水装置を駆動させることができるので、浸水しようとする水を排出することができる。その結果、浸水を効果的に抑制することができる。また、水がない場合に吸水装置を自動的に停止させることができるので、吸水装置の空運転を防止することができる。
【０００９】
上記第１の局面によるウォーターフェンスシステムにおいて、好ましくは、水検知部は、無線通信部を含み、水検知情報を無線通信部を介して制御部に送信するように構成されている。このように構成すれば、水検知部と制御部とを接続する配線を設ける必要がないので、水検知部の設置の自由度を高めることができる。また、配線を設ける必要がない分、ウォーターフェンスシステムの構成を簡素化することができる。
【００１０】
上記第１の局面によるウォーターフェンスシステムにおいて、好ましくは、情報を送受信可能な情報通信端末をさらに備え、制御部は、水検知部の検知結果に基づいて、浸水情報を情報通信端末に送信するように構成されている。このように構成すれば、ウォーターフェンス本体部の設置位置から離れた場所でも、情報通信端末を用いて、浸水の状態を確認することができる。
【００１１】
上記第１の局面によるウォーターフェンスシステムにおいて、好ましくは、水検知部は、少なくともウォーターフェンス本体部の前面側に設けられている。このように構成すれば、ウォーターフェンス本体部の前面側に押し寄せる水を迅速に検知することができるので、検知に基づいて吸水装置を駆動させることにより、背面側に水が侵入するのを効果的に抑制することができる。
【００１２】
上記第１の局面によるウォーターフェンスシステムにおいて、好ましくは、ウォーターフェンス本体部の設置位置周辺を撮影可能な撮影装置をさらに備え、制御部は、撮影装置により撮影した映像を取得可能に構成されている。このように構成すれば、ウォーターフェンス本体部の設置位置周辺の状態を映像により確認することができるので、浸水の状態を容易に確認することができる。
【００１３】
上記第１の局面によるウォーターフェンスシステムにおいて、好ましくは、制御部は、吸水装置に内蔵されている。このように構成すれば、制御部を吸水装置と別体で設ける場合に比べて、ウォーターフェンスシステムの構成を簡素化することができる。
【００１４】
上記第１の局面によるウォーターフェンスシステムにおいて、好ましくは、ウォーターフェンス本体部の底面に配置され、ウォーターフェンス本体部の設置面への設置性を向上させる設置力増強部材をさらに備える。このように構成すれば、設置力増強部材により、凹凸のある設置面に対しての設置性や水密性を向上させることができるので、安定してウォーターフェンス本体部を設置することができる。その結果、ウォーターフェンス本体部の下方からの浸水を効果的に抑制することができる。また、吸水装置によりウォーターフェンス本体部の底面の水を空気とともに吸い取ることによって、ウォーターフェンス本体部の底面と設置面との間に負圧を発生させることができる。これにより、設置力増強部材を地面へ吸着させて、ウォーターフェンスを地面に対して安定して設置することができる。
【００１５】
この発明の第２の局面によるウォーターフェンスは、堰を形成するウォーターフェンス本体部と、ウォーターフェンス本体部の底面と設置面との間の水を吸い取る吸水装置と、設置面から所定の高さに設けられた水検知部とを備え、水検知部の検知結果に基づいて、吸水装置の駆動が制御されるように構成されている。
【００１６】
この発明の第２の局面によるウォーターフェンスでは、上記のように、水検知部の検知結果に基づいて、ウォーターフェンス本体部の底面と設置面との間の水を吸い取る吸水装置の駆動を制御するように構成する。これにより、ウォーターフェンス本体部に水が押し寄せてきた場合に、ウォーターフェンス本体部により押し寄せる水を止めるとともに、水検知部の検知結果に基づいて自動的に吸水装置を駆動させることができるので、浸水しようとする水を排出することができる。その結果、浸水を効果的に抑制することが可能なウォーターフェンスを提供することができる。また、水がない場合に吸水装置を停止させることができるので、吸水装置の空運転を防止することができる。
【発明の効果】
【００１７】
本発明によれば、上記のように、浸水を効果的に抑制することができる。
【図面の簡単な説明】
【００１８】
【図１】本発明の一実施形態によるウォーターフェンスシステムを示した概略図である。
【図２】本発明の一実施形態によるウォーターフェンスを下方から見た斜視図である。
【図３】本発明の一実施形態によるウォーターフェンス本体部を下方から見た斜視図である。
【図４】本発明の一実施形態によるウォーターフェンスの分解斜視図である。
【図５】本発明の一実施形態によるウォーターフェンスシステムの水検知部を示したブロック図である。
【図６】本発明の一実施形態によるウォーターフェンスを示した断面図である。
【図７】本発明の一実施形態によるウォーターフェンスの設置力増強部材の特性を示した表である。
【図８】本発明の一実施形態によるウォーターフェンスの第１設置力増強部材の特性を示した表である。
【図９】本発明の一実施形態によるウォーターフェンスシステムの自動排水処理を説明するためのフローチャートである。
【発明を実施するための形態】
【００１９】
以下、本発明の実施形態を図面に基づいて説明する。
【００２０】
（ウォーターフェンスシステムの構成）
図１〜図９を参照して、本発明の一実施形態について説明する。本実施形態によるウォーターフェンスシステム１００は、建物への浸水を防いだり、工事現場などにおいて水を長時間せき止めたり、流れを有する河川などをせき止めたりするために用いられる。ウォーターフェンスシステム１００は、図１に示すように、ウォータフェンス１０を備えている。図１および図２に示すように、ウォーターフェンス１０は、ウォーターフェンス本体部１と、設置力増強部材２とを備えている。また、ウォーターフェンス１０は、自吸機能を有した自吸ポンプ（以下「ポンプ」と称す）３（図５参照）を備えている。ポンプ３は、急な増水に対しても信頼性の高い水没使用が可能な防水構造を有するポンプとすることが望ましい。ウォーターフェンス１０は、水検知部４を備えている。また、ウォーターフェンス本体部１には、重りとしてペットボトル５が配置されている。ウォーターフェンスシステム１００は、制御装置６を備えている。また、ウォーターフェンスシステム１００は、情報通信端末７を備えている。また、ウォーターフェンスシステム１００は、カメラ８を備えている。なお、ポンプ３は、特許請求の範囲の「吸水装置」の一例である。また、制御装置６は、特許請求の範囲の「制御部」の一例である。また、カメラ８は、特許請求の範囲の「撮影装置」の一例である。
【００２１】
ウォーターフェンス本体部１は、第１部材１１と、第２部材１２と、連結部材１３とを含んでいる。第１部材１１は、吸水装置取付部１１１と、吸水口部１１２（図３参照）と、溝部１１３（図３参照）と、連結用係合部１１４（図４参照）と、嵌合部１１５（図４参照）とを有している。第２部材１２は、重り取付部１２１（図１参照）と、溝部１２２（図３参照）と、連結用係合部１２３（図４参照）と、嵌合部１２４（図４参照）とを有している。
【００２２】
設置力増強部材２は、図２および図４に示すように、第１設置力増強部材２１と、第２設置力増強部材２２とを含んでいる。
【００２３】
水検知部４は、図５に示すように、電極４１と、電池４２と、無線通信部４３とを含んでいる。
【００２４】
ウォーターフェンス本体部１は、浸水を防止するための堰を形成している。具体的には、ウォーターフェンス本体部１は、柱９や壁或いは扉（図示せず）などの前面側（Ｙ２方向側）に配置され、内側への浸水を防止する堰を形成している。また、ウォーターフェンス本体部１は、図１に示すように、第１部材１１のＸ方向の両端に、それぞれ、第２部材１２が連結されている。つまり、ウォーターフェンス本体部１は、複数に分割可能に構成されている。第１部材１１と第２部材１２とは、ゴム製の連結部材１３により互いに連結されている。詳しくは、図４に示すように、第１部材１１の連結用係合部１１４と、第２部材１２の連結用係合部１２３とが隣接して配置された状態で、連結部材１３が、連結用係合部１１４および連結用係合部１２３の両方に係合している。連結部材１３は、第１部材１１および第２部材１２の側面（Ｙ１方向側およびＹ２方向側の側面）と、上面（Ｚ１方向側の面）とに跨って係合するように構成されている。
【００２５】
第１部材１１は、水を透過させない素材により形成されている。第１部材１１は、たとえば、ゴムや樹脂或いは金属などにより形成されている。第１部材１１の吸水装置取付部１１１には、図１に示すように、ポンプ３が連結されるように構成されている。吸水装置取付部１１１は、ウォーターフェンス本体部１の底面１ａ側（Ｚ２方向側）に設けられた吸水口部１１２と連通している。つまり、ウォーターフェンス本体部１の底面１ａと設置面との間の水が、ポンプ３により吸水口部１１２および吸水装置取付部１１１を介して吸水される。また、吸水装置取付部１１１に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００２６】
図３に示すように、第１部材１１の下面側（Ｚ２方向側）には、溝部１１３が設けられている。溝部１１３には、設置力増強部材２が嵌り込むように配置される。また、溝部１１３は、吸水口部１１２をＹ方向に挟み込むように、一対設けられている。また、溝部１１３は、第１部材１１に連結される第２部材１２の溝部１２２とつながるように形成されている。
【００２７】
図４に示すように、第１部材１１の底面部（Ｚ２方向側部）には、第２部材１２側に凸状に突出する嵌合部１１５が設けられている。嵌合部１１５は、第２部材１２の嵌合部１２４に嵌合するように構成されている。また、嵌合部１１５は、平面視において（Ｚ方向から見て）、第２部材１２とオーバーラップするように配置されている。つまり、嵌合部１１５は、第１部材１１および第２部材１２を底面を上にして組立てた場合に、図３に示すように、第２部材１２に覆いかぶさるように、嵌合部１２４に嵌合する。
【００２８】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。第２部材１２の重り取付部１２１には、重りとしてのペットボトル５が取り付けられるように構成されている。第２部材１２の重り取付部１２１にペットボトル５が取り付けられることによりウォーターフェンス１０に加わる荷重を増すことが可能なように構成されている。なお、重り取付部１２１に、水、石、砂、土などを入れて重りとしてもよい。
【００２９】
図３に示すように、第２部材１２の下面側（Ｚ２方向側）には、溝部１２２が設けられている。溝部１２２には、設置力増強部材２が嵌り込むように配置される。また、溝部１２２は、略Ｕ字形状に形成されている。また、溝部１２２は、第２部材１２に連結される第１部材１１の溝部１１３とつながるように形成されている。つまり、第１部材１１の溝部１１３と、第２部材１２の溝部１２２とが連結されて、長方形のロ字形状の溝部が形成される。
【００３０】
図４に示すように、第２部材１２の底面部（Ｚ２方向側部）には、第１部材１１の嵌合部１１５が嵌合する嵌合部１２４が設けられている。具体的には、嵌合部１２４は、凹状に形成されており、凸状の嵌合部１１５が嵌合するように構成されている。嵌合部１１５および嵌合部１２４が嵌合することにより、第１部材１１および第２部材１２を組み立てる際に、第１部材１１および第２部材１２がＹ方向およびＺ方向にずれることを抑制することができるとともに、第１部材１１の向きと第２部材１２の向きとを間違えることなく容易に位置決めを行うことができるので、組み立て作業を容易に行うことが可能である。
【００３１】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３２】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３３】
図４に示すように、設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側に配置されている。第１設置力増強部材２１および第２設置力増強部材２２は、接着層（接着剤や接着テープなど）を介して貼り合わされている。
【００３４】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３５】
第１設置力増強部材２１は、ウォーターフェンス本体部１の自重と、重り収容部１２１に取り付けられたペットボトル５の重さと、ポンプ３の吸引力によって生じる負圧とにより圧縮されるように構成されている。また、ポンプ３は設置力増強部材２を透過した水を、設置面内側の空間の空気と共に吸引するように構成されている。つまり、第１設置力増強部材２１により吸水された水が吸水口部１１２を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３６】
また、ポンプ３により、設置力増強部材２を透過した水を、設置面内側の空間の空気と共に吸引することにより、ウォーターフェンス本体部１と設置面との間の空間の真空度が上げられる。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００３７】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａに、ウォーターフェンス本体部１から、たとえば数ｍｍ程度出るように取り付けられている。その結果、点字ブロックなどの設置面の凸部がウォーターフェンス本体部１に直接当たることに起因してウォーターフェンス本体部１が傾いて設置されるのを抑制することが可能である。これにより、吸水口部１１２が吸水面から離脱して空気中に配置されるのを抑制することができるので、ポンプ３が空運転するのを効果的に抑制することが可能である。
【００３８】
また、第２設置力増強部材２２は、は、ウォーターフェンス本体部１の底面１ａの溝部１１３および１２２の幅より若干大きい幅を有するように形成されている。これにより、第２設置力増強部材２２は、溝部１１３および１２２に圧入されることによりウォーターフェンス本体部１の底面１ａに取り付けられるように構成されている。その結果、設置力増強部材２が経年劣化などにより交換が必要となった場合でも容易に取替えることが可能である。
【００３９】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４０】
水検知部４は、図１および図６に示すように、ウォーターフェンス本体部１の前面側（Ｙ２方向側）の位置と、背面側（Ｙ１方向側）の位置と、ウォーターフェンス本体部１と離間した位置とに設けられている。また、水検知部４は、ウォーターフェンス本体部１の設置面から所定の高さに配置されている。具体的には、水検知部４は、図６に示すように、高さ方向（Ｚ方向）において、第１設置力増強部材２１と第２設置力増強部材２２との境界付近以上の水を検知するように配置されている。
【００４１】
また、水検知部４の電極４１（図５参照）は、対電極を含む。そして、水検知部４は、対電極間の通電を検知することにより、所定の水位以上の水を検知するように構成されている。電池４２は、電極４１および無線通信部４３に電力を供給するように構成されている。水検知部４は、無線通信部４３を介して水検知情報を制御装置６に送信可能に接続されている。なお、水検知情報は、電極４１により水を検知した結果の情報を含む。
【００４２】
ウォーターフェンス本体部１の前面側（Ｙ２方向側）の水検知部４は、ウォーターフェンス本体部１に水が押し寄せた場合に、速やかに水を検知するために設けられている。ウォーターフェンス本体部１の背面側（Ｙ１方向側）の水検知部４は、ウォーターフェンス本体部１に押し寄せた水が背面側に回り込んだことを検知するために設けられている。ウォーターフェンス本体部１と離間した位置に設けられた水検知部４は、水が押し寄せたことをいち早く検知可能な場所に配置されている。たとえば、ウォーターフェンス本体部１の設置位置よりも低い設置面に配置されている。
【００４３】
ここで、本実施形態では、制御装置６は、ポンプ３の駆動を制御するように構成されている。制御装置６は、水検知部４の検知結果に基づいて、ポンプ３の駆動を制御するように構成されている。具体的には、制御装置６は、水検知部４により、所定の水位以上の水を検知した場合に、ポンプ３を自動的に駆動させるように構成されている。
【００４４】
また、制御装置６は、水検知部４の検知結果に基づいて、浸水情報を情報通信端末７に送信するように構成されている。具体的には、制御装置６は、浸水の有無、ポンプ３の駆動状況などの情報を含む浸水情報を情報通信端末７に送信するように構成されている。なお、浸水情報は、浸水が発生した場合に、制御装置６から情報通信端末７に自動で送信してもよいし、情報通信端末７からの要求により送信してもよい。また、情報通信端末７は、複数設けられていてもよい。この場合、制御装置６は、浸水情報を複数の情報通信端末７に一斉に送信してもよい。
【００４５】
また、制御装置６は、ウォーターフェンス本体部１の設置位置周辺を撮影可能なカメラ８により撮影した映像を取得可能に構成されている。具体的には、制御装置６は、カメラ８により撮影した映像を取得し、情報通信端末７に取得した映像を送信するように構成されている。なお、カメラ８により撮影した映像は、浸水が発生した場合に、制御装置６から情報通信端末７に自動で送信してもよいし、情報通信端末７からの要求により送信してもよい。
【００４６】
また、制御装置６は、ポンプ３の累積運転回数、運転間隔、および、運転時間のデータを記録し、管理するように構成されている。
【００４７】
情報通信端末７は、情報を送受信可能に構成されている。情報通信端末７は、たとえば、ＰＣ（パーソナルコンピュータ）、スマートフォン、タブレット端末などを含む。また、情報通信端末７は、アプリケーションなどのソフトウェアにより、ウォーターフェンスシステム１００を操作可能に構成されている。たとえば、情報通信端末７により、カメラ８により撮影した映像を確認して、ポンプ３の駆動を操作してもよい。
【００４８】
カメラ８は、ウォーターフェンス本体部１の設置位置周辺を撮影可能に構成されている。たとえば、カメラ８は、ウォーターフェンス本体部１の前面側（Ｙ２方向側）、背面側（Ｙ１方向側）を含むウォーターフェンス本体部１の周辺を撮影可能に配置されている。また、カメラ８は、ウォーターフェンス本体部１の全体を撮影可能なように、ウォーターフェンス本体部１の上方に配置されている。カメラ８は、情報通信端末７による操作により、撮影方向を上下左右に振ってもよい。また、カメラ８は、情報通信端末７による操作により、撮影範囲をズームインしたり、ズームアウトしてもよい。
【００４９】
図７を参照して、設置力増強部材２（第１設置力増強部材２１および第２設置力増強部材２２）の特性の一例について説明する。
【００５０】
図７に示すように、第１設置力増強部材２１は、たとえば、見掛け密度が１１０ｋｇ／ｍ3であり、引張強さが８０ｋＰａであり、伸びが４５０％である。また、第１設置力増強部材２１は、圧縮硬さが、圧縮率が２５％の場合、３．３ｋＰａであり、圧縮率が５０％の場合、４．５ｋＰａである。第２設置力増強部材２２は、見掛け密度が１１０ｋｇ／ｍ3であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００５１】
図８を参照して、第１設置力増強部材２１の特性（水透過）の一例について説明する。
【００５２】
図８に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、第１設置力増強部材２１は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５３】
第１設置力増強部材２１に用いる気孔率５０％〜６０％程度の半連続気泡構造のやわらかいスポンジは、図８に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０％以上８０％以下になることが好ましい。
【００５４】
（自動排水処理）
次に、図９を参照して、本実施形態のウォーターフェンスシステム１００による自動排水処理について説明する。なお、自動排水処理は、ウォーターフェンスシステム１００の制御装置６により実行される。
【００５５】
図９のステップＳ１において、制御部６は、水検知部４により、水検知情報を受信したか否かを判断する。水検知情報を受信すればステップＳ２に進み、水検知情報を受信しなければ、ステップＳ１の判断を繰り返す。ステップＳ２において、受信した水検知情報に基づき、制御部６は、ポンプ３の運転を開始する。これにより、ウォーターフェンス本体部１の底面１ａと設置面との間の水が排水される。
【００５６】
ステップＳ３において、制御部６は、ユーザの情報通信端末７に、浸水情報の通知を行う。具体的には、水検知部４により水が検知されたこと、および、ポンプ３の運転が開始されたことが通知される。ステップＳ４において、制御部６は、情報通信端末７にカメラ８により撮影した画像（映像）を送信する。
【００５７】
ステップＳ５において、制御部６は、ポンプ３の累積運転回数、運転間隔、および、運転時間のデータの記録を行う。その後、水検知部４により、水を検知しなくなれば、制御部６によってポンプ３の運転が停止され、自動排水処理が終了する。
【００５８】
（実施形態の効果）
本実施形態では、以下のような効果を得ることができる。
【００５９】
本実施形態では、上記のように、水検知部４の検知結果に基づいて、ウォーターフェンス本体部１の底面１ａと設置面との間の水を吸い取るポンプ３の駆動を制御する制御装置６を設ける。これにより、ウォーターフェンス本体部１に水が押し寄せてきた場合に、ウォーターフェンス本体部１により押し寄せる水を止めるとともに、水検知部４の検知結果に基づいて自動的にポンプ３を駆動させることができるので、浸水しようとする水を自動的に排出することができる。その結果、浸水を効果的に抑制することができる。また、水がない場合にポンプ３を自動的に停止させることができるので、ポンプ３の空運転を防止することができる。
【００６０】
また、本実施形態では、上記のように、水検知部４を、水検知情報を無線通信部４３を介して制御装置６に送信するように構成する。これにより、水検知部４と制御装置６とを接続する配線を設ける必要がないので、水検知部４の設置の自由度を高めることができる。また、配線を設ける必要がない分、ウォーターフェンスシステム１００の構成を簡素化することができる。
【００６１】
また、本実施形態では、上記のように、情報を送受信可能な情報通信端末７を設け、制御装置６を、水検知部４の検知結果に基づいて、浸水情報を情報通信端末７に送信するように構成する。これにより、ウォーターフェンス本体部１の設置位置から離れた場所でも、情報通信端末７を用いて、浸水の状態を確認することができる。
【００６２】
また、本実施形態では、上記のように、水検知部４を、ウォーターフェンス本体部１の前面側（Ｙ２方向側）に設ける。これにより、ウォーターフェンス本体部１の前面側（Ｙ２方向側）に押し寄せる水を迅速に検知することができるので、検知に基づいてポンプ３を駆動させることにより、背面側（Ｙ１方向側）に水が侵入するのを効果的に抑制することができる。
【００６３】
また、本実施形態では、上記のように、ウォーターフェンス本体部１の設置位置周辺を撮影可能なカメラ８を設け、制御装置６を、カメラ８により撮影した映像を取得可能に構成する。これにより、ウォーターフェンス本体部１の設置位置周辺の状態を映像により確認することができるので、浸水の状態を容易に確認することができる。
【００６４】
また、本実施形態では、上記のように、ウォーターフェンス本体部１の底面に配置され、ウォーターフェンス本体部１の設置面への設置性を向上させる設置力増強部材２を設ける。これにより、設置力増強部材２により、凹凸のある設置面に対しての設置性や水密性を向上させることができるので、安定してウォーターフェンス本体部１を設置することができる。その結果、ウォーターフェンス本体部１の下方からの浸水を効果的に抑制することができる。また、ポンプ３によりウォーターフェンス本体部１の底面１ａの水を吸い取ることによって、ウォーターフェンス本体部１の底面１ａと設置面との間に負圧を発生させることができる。これにより、ウォーターフェンス本体部１が設置面に対してずれるのを抑制することができる。
【００６５】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６６】
たとえば、上記実施形態では、制御装置（制御部）をポンプ（吸水装置）とは別体で設ける構成の例を示したが、本発明はこれに限らない。本発明では、制御部を、吸水装置に内蔵してもよい。これにより、制御部を吸水装置と別体で設ける場合に比べて、ウォーターフェンスシステムの構成を簡素化することができる。
【００６７】
また、上記実施形態では、水検知部を、ウォーターフェンス本体部とは離間した位置、ウォーターフェンス本体部の前面の位置および背面の位置に合計３つ設ける例を示したが、本発明はこれに限らない。本発明では、水検知部を２つ以下設けてもよいし、４つ以上設けてもよい。また、水検知部をウォーターフェンス本体部の前面側のみに設けてもよいし、水検知部をウォーターフェンス本体部の背面側のみに設けてもよい。また、水検知部をウォーターフェンス本体部と離間した位置のみに設けてもよい。
【００６８】
また、上記実施形態では、ウォーターフェンスが直線的に形成されている構成の例を示したが、本発明はこれに限らない。本発明では、ウォーターフェンスが折れ曲がるように形成されていてもよい。
【００６９】
また、上記実施形態では、ウォーターフェンスに入れる重り部材としてペットボトルを用いた例を示したが、本発明はこれに限らない。本発明では、ペットボトル以外の部材を重り部材として用いてもよい。たとえば、バーベルや石などを重り部材として用いてもよい。
【００７０】
また、上記実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。また、設置力増強部材を設けなくてもよい。
【００７１】
たとえば、設置力増強部材を１層により形成した場合、第１設置力増強部材２１を用いることが望ましい。また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００７２】
また、上記実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【００７３】
１  ウォーターフェンス本体部
２  設置力増強部材
３  ポンプ（吸水装置）
４  水検知部
６  制御装置（制御部）
７  情報通信端末
８  カメラ（撮影装置）
４３  無線通信部
１０  ウォーターフェンス
１００  ウォーターフェンスシステム
【図１】
0006514122.tif 000002
【図２】
0006514122.tif 000003
【図３】
0006514122.tif 000004
【図４】
0006514122.tif 000005
【図５】
0006514122.tif 000006
【図６】
0006514122.tif 000007
【図７】
0006514122.tif 000008
【図８】
0006514122.tif 000009
【図９】
0006514122.tif 000010